(57)【要約】【課題】［０００１］  従来のドライエアー供給装置は乾式除湿器方式と言われるものである。ハニカム状の円筒の内部にシリカゲルもしくは塩化リチュームを含浸して水蒸気を補集して、１２０℃以上の熱風で、再生する方法である。  乾式除湿方法は単独では処理量が少なく、前処理装置として、冷却除湿をして、大量のドライエアー供給装置を構成していた。［０００２］【解決手段】  本発明は前処理装置として冷却除湿していた空調機を一部改する。コンプレッサーにて、圧縮した冷媒を熱源とし、ドライエアー供給装置内の空気を加熱し、ドライエアー供給装置内の空気を加熱するフィンと同フィンをバイパスする配管に分け、温度を上昇させる時（３０℃〜５０℃）はフィンに加熱冷媒を供給し、片方のバイパス菅を閉じる。温度が上昇したら、フィン側の冷媒を閉鎖し、バイパス側を開く。その後両方を１本にして、凝縮器で液化する。液化した冷媒で、ドライエアー供給装置内の水槽を冷却する。冷却後の冷媒は元のコンプレッサーに返して、循環する。［０００３］  ドライエアー供給装置内の水槽で冷却された水は、不織布で構成する立体水面で、空気と接触して、除湿を行う。【特許請求の範囲】
【請求項１】
空調機用のコンデンシングユニット、叉わ、チラー等を利用し、同機の▲１▼コンプレッサーで圧縮した加熱冷媒をドライエアー供給装置内の▲２▼熱交換フィンに送り同装置内の空気を２５℃以上、５０℃以下に加熱する。
温度調節はフィンを通過する冷媒とフィンを通通過していない圧縮した冷媒を▲３▼電磁弁と▲４▼電磁弁とでフィンを通過しないバイパスに分けて調節する
加熱後はフィンを通過しないバイパスとフィンを通過した冷媒を集合して、コンデングユニット内の▲４▼凝縮器に送る。
▲９▼送風機で▲４▼凝縮器内の冷媒を冷却して全量液化する。液化した冷媒を▲５▼受液器に送り冷媒液を一時保持する。
▲５▼受液器から出た冷媒液をドライエアー供給装置内の▲６▼電子膨張弁に送り、気化冷却した冷媒で水槽の中の水を最低温度７℃迄、冷却出来る様にする。冷却した水は水中ポンプで、複数の不織布上部から水を流し同装置内の空気と接触させて、空気の水蒸気を水に吸着して水槽に戻る。水槽からオーバーフローする水をＵ字菅トラップを通じて排水する。冷媒液は水槽内冷媒菅は気化しており、▲１▼コンプレッサーに戻す。
以上の一連のシステム
【請求項２】
ドライエアー供給装置で得たドライ空気はダクトを通じて乾燥室に送り、乾燥室から出た空気を元のドライエアー供給装置に戻して省エネを行うシステム。
【発明の詳細な説明】
【技術分野】  乾燥室に乾燥した空気を送り、物質の乾燥、又は、空気中の水蒸気を除去した環境室を作るドライエアー供給装置に関する。
【従来の背景技術】
【０００１】  現状のドライエアー供給装置は乾式除湿器方式と言われるものであり、ハニカム状の円筒の内部にシリカゲルもしくは塩化リチュームに含浸して水蒸気を補集して、１２０℃以上の熱風で、水蒸気を蒸発除去し再生するドライエアー供給装置である。
【０００２】  前記ドライエアー供給装置は単独でも除湿するが単独では除去する蒸気量が少ないので、１０℃以下に前処理として予備冷却し、ハニカム式のドライエアー供給装置の負荷量を少なくする必要があった。その訳は従来のドライエアー供給装置はシリカゲルもしくは塩化リチュームに結晶水として空気中の水蒸気を補集する為に補集限界は非常に高いが補集量が少ないので、予備冷却して、あらかじめ冷却除湿をし、前処理をしなければ、大量の空気のドライエアー供給装置は、不可能であった。
【本発明前の独自技術】
【０００３】「特許文献１」特開２００９−１２７０２９    特許番号４４７１３９４
この文献は小型の恒温恒湿器において室内に冷却水面設置して同水面を湿球温度と等しい温度に冷却制御して、室温を加熱制御する方式であって、本件の発明者が発明した。
この発明で、冷却水面による低湿度を得る技術を本件の発明者が発明していた。
【０００４】「特許文献２」特開２０１８−２８４２４
一般空調技術であるが、水面を立体化する事によって、少ない空間で大量の水面を得ることができる技術であって、本件の発明者が発明した。
【発明が解決しようとする課題】
【０００５】  従来の乾式除湿器はシリカゲルや塩化リチュームの無水体に空気中の水蒸気を結晶水の形で、空気中の水蒸気を取り込む方式であるため、再生の為に結晶水を無水化するのに１２０℃以上の熱風で加熱する事が必要であり、水を１００℃以上に沸騰するよりエネルギーを必要とする。少ない乾燥空気量でよければ問題はないが、大量の乾燥空気が必要な時は、前処理として、出来るだけ低温処理した空気を供給しなければ大量の乾燥空気は得られない問題あった。
【開発の目標】
【０００６】  大量の乾燥空気を必要とする場合に用いる前処理用の冷凍機のみで、乾式除湿器を不要にしたドライエアー供給装置が制作すること出来る様にする事を目標にする。
【開発前の試験】
【０００７】  恒温恒湿器のパン型皿に水を張り、ヒーターで加熱制御して湿度を調節するが、パン型水槽の水に冷却コイルを追加して、湿度センサーと相対湿度調節器で湿度制御出来る様にすると、除湿機能が追加され、湿球温度に等しい温度に水面を冷却すれば、低湿度の環境が制御出来る。
「参考文献」  特開２００９−１２７９２９  参照
【０００８】  上記の恒温恒湿器にて空気温度を３０℃に設定し、相対湿度を０％に設定して運転すると、設定の様に制御が出来る事を今回初めて確認した。この時の水面温度は１０℃であった。
また、水面温度を１０℃に設定して制御すると、相対湿度は０％になった。
湿り線図上で（図４参照）以上の現象が可能であることが，証明できる。
したがって、どの温湿度であっても、水面温度を湿球温度に制御すれば、恒温恒湿環境が制御出来る事になります。
【０００９】  此処まで来ると、後は水面を広くする工夫をすれば、大量の乾燥空気が製造出来る。と発想した。
【００１０】  本件発明者は「特許文献２」特開２０１８−２８４２４の利用し、立体水面を利用すれば、狭い空間で、広い水面が確保出来る。以上２件の特許物件を利用する事にした。
【００１１】  ２件の特許文献を利用して、本件のドライエアー供給装置を製作する。
【００１２】  冷専用インバーターコンデンシングユニットを基本に次の様な考えで、制作する。
【００１３】  冷房専用のコンデンシングユニットの冷媒はコンプレッサーで圧縮した時は８０℃程度の高熱が発生する。通常は直ちに凝縮器の送り、冷却ファンで液化しているが、本発明はコンプレッサーで圧縮した時に発生する８０℃程度の高熱をドライエアー供給装置の空気加熱フィンに送り空気加熱する。空気加熱してから、コンデンシングユニット内の凝縮器の送り、冷却ファンで液化する。
液化した後に、受液器に蓄えた後にドライエアー供給装置の水槽を冷却する為に電子膨張弁を通じて水槽を冷却する。水槽を通過した後の冷媒ガスはコンデンシングユニット内のコンプレッサーに戻す。
【００１４】  高温を作る工程
コンデンシングユニット内の▲１▼コンプレッサーで冷媒を圧縮した後のガス温度は８０℃程度になっており、外部（ドライエアー供給装置）に取り出し、２方分け、１方はドライエアー供給装置内の▲２▼空気加熱用フィンで温度を２５℃〜４０℃に上昇させる、温度が上昇したら、▲３▼電磁弁で閉鎖し、他の１方にの電磁弁▲４▼を開き加熱フィンをバイパスして、コンデンシングユニット内の凝縮器入口に接続する。
【００１５】  低湿度を作る工程
コンデンシングユニット内の▲５▼凝縮器を▲１０▼ファンで、冷却して冷媒を液化する。液化した冷媒を受液器に送り、▲６▼受液器の底部分から、液菅として、再び外部（ドライエアー供給装置）に取り出し、電子膨張弁▲７▼に接続し、▲８▼水槽の水を最低温度７℃〜湿球温度以下まで冷却する。水槽の温度は水槽温度を測定し温度調節器の信号で、▲７▼電子膨張弁を調節する。水槽▲７▼から出た冷媒はコンデンシングユニット内のコンプレッサー▲１▼に返して、冷媒を循環する。
【００１６】  前記の冷媒の流れを要約すると、冷房専用のコンデンシングユニット内のコンプレッサーで、圧縮した冷媒でドライエアー供給装置内の空気を加熱する工程と、冷媒を気化して水槽の水を冷却し、冷媒を循環する。
空気加熱と水冷却の両方が出来るシステムである。
【００１７】  ドライエアー供給装置に必要な付属部品類のリスト
▲７▼水中ポンプ      立体水面に水を送る
▲９▼凝縮器用ファン．冷媒を送風冷却して、冷媒を液化する。
▲１１▼循環ファン    ドライエアー供給装置内部の循空気循環と乾燥室への送風をする                      。
▲１４▼排水菅        立体水面で捕集した水蒸気は水となって、水槽に集められ、オー                      バーフロー菅より排水する時に外気が侵入しないように、トラッ                      プにて、空気の侵入を防ぐ必要がある。
【００１８】代表図面で冷媒の動きを説明する。
【００１９】構成部品とその働き
・  コンプレッサー    冷媒を圧縮する
・  加熱フィン。      熱交換ンフィン（ドライエアー空気加熱用）
・  電磁弁            熱交換ンフィンのＯＮ−ＯＦＦ加熱
・  バイパス電磁弁    熱交換ンフィンをバイパスして、温度の過上昇防止
・  凝縮器。          ▲１０▼のファンで送風して、冷媒を液化する
・  受液器            液化した冷媒を一時受ける容器
・  電子子膨張弁      冷媒液を気化して、水槽の水を設定した温度に冷却する。
・  水中ポンプ        立体水面水を送り水を送り循環する。
・  立体水面水        不織布上部より水槽の水を上部から供給する。
・  凝縮用ファン      外気により凝縮器を冷却し冷媒を液化する。
・  ドライエアー供給装置内部ファン  内部循環用と乾燥室との循環用
・  乾燥室への送風ダクト
・  乾燥室からのレターンダクト
・  排水菅  オーバー方式で排水必ずトラップ菅を付属して、外部からのエアーの混入を      防止する。
【発明の効果】
【００２０】  本発明のドライエアー供給は乾式除湿器が無くても単独で供給では可能である。本発明は前処理として、使用していた冷凍機を（図２及び図３）の様に改造することによって、従来使用していた乾式除湿器は不要となった。
【図面の簡単な説明】
【００２１】図１は従来の乾式除湿器【００２２】図２は本発明のドライエアー供給装置の詳細図
【発明を実施するための形態】
【００２３】図３は発明を実施するための形態図
【実施例】
【００２４】  米、麦、大豆などの乾燥にカントリーエレベターで、重油を燃料としたバーナーで空気を５０℃以上に加熱し、加熱乾燥をしている。バーナーを使用しているので、加熱後は排気している。本発明はドライエアー供給装置は５０℃以下の低温で除湿乾燥をした後の空気を循環して、再利用が出来る。
その他の食品の乾燥や防錆にも使用範囲は広く、電子部品の製造工程等の環境整備等にも使用出来る。
【符号の説明】
【００２５】図１の符号説明
従来の乾式除湿器のシステム図
Ａ  冷却用室外機
Ｂ  冷却フィン
Ｃ  送風機
Ｄ  外気取り入れ口
Ｅ  連結ダクト」
Ｆ  外気取り入れ口（再生空気用）
Ｇ  加熱ヒーター（再生空気用）
Ｈ  円筒型シリカゲル含浸ハニカム（除湿用）
Ｊ  同上用回転モーター
Ｋ  排気ダクト
Ｌ  排気ダクト【００２６】図２の符号説明
本発明のドライエアー供給装置の詳細図
・    コンプレッサー    冷媒圧縮用
・    加熱用フィン      ドライエアー用の空気を加熱する。
・    電磁弁            加熱用フィン内の冷媒を調節する。
・    電磁弁            加熱フィンをバイパスする電磁弁。
・    凝縮器            冷媒ガスを液化する。
・    受液器            液化した冷媒を一時保持する
・    電子膨張弁        液化した冷媒を気化して、水槽の温度を冷却調整する
・    冷却水槽          気化した冷媒で、冷却する。
・    水中ポンプ        水槽の水を立体水面に送る。
・    立体水面          水槽から来る水を複数の不織布上部から供給する
・    送風機            ドライエアー供給装置内を循環する空気と乾燥室に、
送る空気用
・    ドライエアー送風口  乾燥室へのドライエアーを送風。
・    乾燥室からのリターンダクト
・    水槽のオーバーフロー菅    必ずＵ字型のトラップを通過して排水する。【００２７】図３の符号説明
図１図２の符号に合わせて記載し、乾燥室との連携を解り易くした。【００２８】図４の符号
湿り線図での説明
室温        温度３０℃のライン
水面温度    水面温度が１０℃の場合と７℃の場合の湿球温度ライン
Ｄ１        温乾温度３０℃にて、水面温度１０℃の時に到達環境点を示す。
露点温度    水面温度が（１０）℃の場合の露点温度到達点を示す。露点温度―２０℃以            下が可能である事が判定出来る。
室温が３０℃である場合に水面温度が１０℃であれば、相対湿度０％、に水面に空気中の水蒸気が吸収される事を示す。
また、水面温度が７℃であれば、Ｄ２に示す様に、相対湿度０％、露点温度―２０℃℃より、はるかに下回るになる事を示す。
【図１】
2020025950.tif 000002
【図２】
2020025950.tif 000003
【図３】
2020025950.tif 000004
【図４】
2020025950.tif 000005
【手続補正書】
【提出日】平成30年11月27日(2018.11.27)
【手続補正１】
【補正対象書類名】明細書
【補正対象項目名】００２１
【補正方法】変更
【補正の内容】
【００２１】
【図１】図１は従来の乾式除湿器である。
【手続補正２】
【補正対象書類名】明細書
【補正対象項目名】００２２
【補正方法】変更
【補正の内容】
【００２２】
【図２】図２は本発明のドライエアー供給装置の詳細図である。
【図３】図３は本発明のドライエアー供給装置と乾燥室を連結した図である
【図４】図４は本発明のドライエアー供給装置の湿り線図である。空気温度３０℃が接触する水面温度が１０℃であれば，室温３０℃で、相対湿度Ｄ１のポイントに到達する。Ｄ１は露点温度が―１０℃（相対湿度０％）の環境が出来る事を示す。空気温度３０℃が接触する水面温度が７℃であればＤ２のポイントに到達する。Ｄ２のポイントは露点温度が―２０℃（相対湿度０％）の環境が出来る事を示す。